(57)【要約】【課題】お年寄りや体の不自由な人が使用する昇降部分２０を有することを前提とした、立ったり座ったりすることを補助するための椅子であり、使用者の好みの高さまで座部１を上げておきながら、その高さにて好みの角度まで座部１を傾斜させておきながら、立ち上がったり  または椅子に座ったりすることを補助するための椅子傾斜装置を提供する。【解決手段】２基の上部のみが開閉するＸ軸状のリンク機構を左右並列に設置して、モーター５０から伸びている中央動力伝達軸Ｚの回転により、その中央動力伝達軸Ｚに貫通装着されている移動体Ｘおよび移動体Ｙがお互い水平距離を保ったまま中央動力伝達軸Ｚ間を水平移動するようになっており、その左右外側のリンク機構下部のみが前側や後ろ側に向かって水平距離を保ったまま可動することにより、上部のリンク機構の開閉のみによって座部１を前側に傾斜させたり後ろ側に傾斜させたり出来るようにした。【選択図】図１
2005218830.tif 000002
【特許請求の範囲】
【請求項１】
２基の上部のみが開閉するＸ軸状のリンク機構を左右並列に設置して、モータ５０から伸びている中央動力伝達軸Ｚの回転によりその中央動力伝達軸Ｚに貫通装着されている移動体Ｘおよび移動体Ｙがお互い水平距離を保ったまま中央動力伝達軸Ｚ間を水平移動するようになっており、その左右外側のリンク機構下部のみが前側や後ろ側に向かって水平距離を保ったまま可動することにより、リンク機構の上部の開閉のみによって座部１を前側に傾斜させたり後ろ側に傾斜させたりできるようにした傾斜装置。
【発明の詳細な説明】
【技術分野】
【０００１】  この発明は、主として介護椅子に関するものであり、電動昇降椅子などのお年寄りや体の不自由な人などが椅子に座ったり起き上がったりする時にその動作を補助する為の椅子の傾斜装置に関するものである。
【背景技術】
【０００２】従来、介護椅子などの座部の傾斜装置には様々なものが提案されているが、その一部は座部が所定高さまで上昇すると自動的に座部の上昇に伴って座部が前傾するような機構の傾斜装置を有した椅子などがあり、座り込んだ姿勢から立ち上がりに至る姿勢までの一連の動作で立ち上がりを補助するようになっている椅子などがある。
【発明の開示】
【発明が解決しようとする課題】
【０００３】  しかしながら、かかる従来例にあっては、座部の上昇に伴って座部が自動的に前傾する構造であるために、使用者の個人個人の体型等に応じて前傾することが出来ないという問題があった。やはり個人個人の使用者の体型には個人差があり快適な使用感を得る為には使用者のそれぞれの身長や、特に足の長さなどの個人差に応じて座部の高さを調整する必要があり、立ち上がる時など自分に合った高さまで座部を上昇させておき、そこからまた任意に椅子を傾斜させることが出来ればそれぞれの個人の体型に合った高さにて立ち上がったり、または座ったりする事を補助することが出来るようにする事を課題とした椅子の傾斜装置に関するものである。
【課題を解決する為の手段】
【０００４】  以上の課題を解決する為に、本発明は種々の問題点に鑑みて成された椅子の傾斜装置であり、下部平面板３の上部に２基のリンク機構を設置しており、その２基のリンク機構の上部を座部等の前後下部にそれぞれをピン接合してあり、また各リンク機構の下端部前後はそれぞれが可動動力伝達軸９および可動動力伝達軸１０にて水平距離を保ったまま前後に水平可動するようにしてあり、各リンク機構上部のみを自在に開閉さすようにした。この各リンク機構上部の開閉により、その上に設置してある上部平面板２および座部３の下部前方部や後方部が持ち上げられたり持ち下げられたりするようにした。またモーター５０を搭載しているので手元のスイッチ操作ひとつで容易に操作出来るようになっている。
【発明の効果】
【０００５】  以上の手段によって昇降部分２０を有する座高昇降タイプの椅子などに関して言えば、個人個人の使用者の体型に合わせた座高の高さ調整をした後に、手元のスイッチ操作にて座部１を前傾さして座ったり、または立ち上がったりすることが出来るようになり、座部昇降タイプの椅子にお年寄りや体の不自由な人などが腰を掛ける時に座部１が前傾しているので、さらに座ったり立ったりすることが容易になる。また座部１の下部に設置してあるリンク機構にて座部の下部前部や後部を持ち上げたり持ち下げたり出来るようになっているので、座部１を後傾さすことも出来て、座っているときなどは座部１を後傾さしてリクライニング状態にしたりしてくつろいだりすることも出来る椅子になる。
【発明を実施する為の最良の形態】
【０００６】  以下、本発明の一実施形態を（図１および図２）を主に参照説明する。本発明の椅子傾斜装置は下部平面板３の上部に２基のリンク機構を有しており、この２基のリンク機構はＭ側とＬ側の左右対称に設置されているので、その片側のみを例に以下説明する。まず平面板３の上部にリンク設置台５が平面板３に一体化固定されている。このリンク設置台５には可動動力伝達軸９と可動動力伝達軸１０が水平可動可能なようにＥ側に可動孔５ＢとＦ側に可動孔５Ａが開いている。この可動動力伝達軸９と可動動力伝達軸１０はリンク設置台５に開いている可動孔５Ｂと可動孔５Ａの孔をリンク帯６とリンク帯７との下端部にある孔６Ｂと孔７Ａを貫通して回転可能なようにピン接合されている。またリンク６およびリンク７はリンク設置台５を挟むように、お互い相対面するようにリンク帯６はリンク６′とリンク７はリンク７′とに２帯に分かれているようになっている。またリンク６とリンク６′はリンク７とリンク７′を挟み込むようになっている。（以下リンク帯６とリンク帯６′の対を対リンク帯６にリンク帯７とリンク帯７′の対を対リンク帯７と表記する。）
【０００７】  次に各対リンク帯６と対リンク帯７の上端部にはそれぞれに孔６Ａと孔７Ａが開いている。この孔６Ａと孔７Ｂは上部平面板２の下部に一体式固定されているリンク設置台４に開いている孔４Ａに孔６Ａが、孔４Ｂに孔７Ｂが合わさりあって共に回転可能なようにピン接合されている。ここまでがＭ側とＬ側に左右対称に設置されている２基のリンク機構の内の１基のリンク機構の機構である。
【０００８】  次にモーター５０から各可動動力伝達軸９および可動動力伝達軸１０に動力が伝わる動力部を説明する。まず平面板３上部のＭ側からＬ側方向真ん中のＦ側に端部にモーター５０が設置されており、このモーター５０から伸びている中央動力伝達軸Ｚはモーター５０にＦ側からＥ側に相対面するようにジャーナル軸受け５１まで伸びており回転可能なように装着されている。この中央動力伝達軸Ｚには螺旋形状に螺刻されており、モーター５０からジャーナル軸受け５１までの間に、中央動力伝達軸Ｚに貫通されて装着されている移動体Ｘと移動体Ｙとがある。この移動体Ｘと移動体Ｙに中央動力伝達軸Ｚが貫通されている孔の内部にも、中央動力伝達軸Ｚに螺旋形状に螺刻されているものに係合するように螺旋状に螺刻されている。これにより中央動力伝達軸Ｚが回転すると移動体Ｘと移動体Ｙは、お互いの中央動力伝達軸Ｚに貫通装着されている距離を保ちながら、中央動力伝達軸Ｚ間を移動するようになる。
【０００９】  また移動体Ｘおよび移動体Ｙには中央動力伝達軸Ｚに直角交差するように、移動体Ｙには可動動力伝達軸９が、また移動体Ｘには可動動力伝達軸１０がそれぞれＭ側およびＬ側に設置されている下部リンク設置台５に開いている可動孔５Ｂおよび可動孔５Ａまで伸びている。上記にも示したように、この可動動力伝達軸９および可動動力伝達軸１０は対リンク帯６および対リンク帯７の下端部に開いている孔６Ｂおよび孔７Ａの孔を貫通されて回転可能なようにピン接合されているので、移動体Ｘおよび移動体Ｙが中央動力伝達軸Ｚ上をお互い距離を保ったまま平行移動すると、移動体Ｘおよび移動体Ｙから伸びている可動動力伝達軸１０および可動動力伝達軸９も各リンク設置台５に開いている可動孔５Ａおよび可動孔５Ｂ間をＥ側に向かって水平可動したり、Ｆ側に向かって水平可動するようになる。
【００１０】  これらのことにより可動動力伝達軸９および可動動力伝達軸１０が、お互い水平距離を保ったまま例えばＥ側に向かって可動孔５Ｂおよび可動孔５Ａ間を水平可動すると、各対リンク帯６および対リンク帯７の上端部にてリンク設置台４に開いている孔４Ａおよび孔４Ｂと回転可能なようにピン接合されているので、対リンク帯６上端部に開いている孔６Ａと上部リンク設置台４に開いている孔４Ａは下方に引っ張られて、またその前方部に位置する対リンク帯７に開いている孔７Ｂとリンク設置台４に開いている孔４Ｂは上方に引っ張り上げられる為にその上部に固定されて位置する上部平面板２および座部１はＦ側後方に傾斜されることとなる。
【００１１】  またその反対の可動動力伝達軸９および可動動力伝達軸１０が各リンク設置台５に開いている孔５Ａおよび５Ｂ間をＦ側に水平可動すると、対リンク帯７に開いている孔７Ａとリンク設置台４に開いている孔４Ｂはお互いピン接合されているので下方に引っ張られて下げられ、また対リンク帯６に開いている孔４Ａとリンク設置台４に開いている孔４Ａもお互いピン接合されているので上方に引っ張り上げられるようになり、その上部に固定されて位置する上部平面板２および座部１はＥ側前方に傾斜するようになる。
【００１２】  これらのことにより、手元の操作部のスイッチを押すだけでモーター５０が右回転または左回転することにより、腰掛部である座部１がＥ側に向かって前傾斜したり、またはＦ側に後傾斜したりして、例えばここで仮定する昇降部分２０にて自分の背丈や足の長さに合わせた位置まで座部を上げておき、今度はさらにこの傾斜装置にて座部をＥ側の前部に傾斜させることにより、使用者に合った座部１の高さや傾斜角度により立ったり座ったりする事の補助が出来るようになる。また、座部１に使用者が腰を掛けたままこの傾斜装置にて座部をＦ側の後ろ側に後傾斜さすことにより使用者のリクライニング効果などが得られる椅子である。
【００１３】  また動力源であるモーター５０に電力を送る方法には、コンセント式にしても良いし、バッテリーなどを搭載してコンセントなどの動力源がない場所でも使えるようにしても良い。また、手動開閉式などにするとお年よりや体の不自由な人などは使用しにくいが、そのように変更するとコンセントなどの動力源ないところでも、好きな場所で手軽に使用できるようにしても良い。
【００１４】「他の実施形態」
またこれらの傾斜装置を使った、前後左右傾斜機能のついたベッドや何らかの台などに応用することもできる。
【図面の簡単な説明】
【００１５】
【図１】この考案の、一実施形態を示す正面斜めから見た椅子の全体構造図である。
【図２】この考案の、一実施形態を示す側面から見た座部が平行な時の図である。
【図３】この考案の、一実施形態を示す側面から見た座部が前方傾斜の時の図である。
【図４】この考案の、一実施形態を示す側面から見た座部が後方傾斜の時の図である。
【符号の説明】
１、座部およびシートクッション                            ２、上部平面板
３、下部平面板                ４、上部リンク設置台
５、下部リンク設置台                    ６・７、各リンク
４Ａ・４Ｂ、上部リンク設置台に開いている孔
４Ａ・５Ｂ、下部リンク設置台に開いている可動孔
６Ａ・６Ｂ、対リンク帯６の上下に開いている孔
７Ｂ・７Ａ、対リンク帯７の上下に開いている孔
５０、モーター                                  ５１、ジャーナル軸受け
９・１０、各可動動力伝達軸                      Ｘ・Ｙ、各移動体
Ｚ、中央動力伝達軸                              ２０、仮定昇降部分および脚部
１８・１９、回転ブッシュおよび回転軸          Ｅ側、座部に座って前方部
Ｆ側、座部に座って後方部                      Ｍ側、座部に座って右側部
Ｌ側、座部に座って左側部
【図１】
2005218830.tif 000003
【図２】
2005218830.tif 000004
【図３】
2005218830.tif 000005
【図４】
2005218830.tif 000006